(57)【特許請求の範囲】
【請求項１】
スピンコート法を用いる方法であって、
少なくとも１つの第１のベース（１３）及びこれによって支持されていて、光学レンズ（１０）のエッジ（１１）を保持する少なくとも３つの支持スタッド（１４Ａ，１４Ｂ）を有する形式の光学レンズ支持体を使用し、前記ベース（１３）は、それ自体の着座手段としての平らな支持面（１６）を有し、前記支持面の周囲輪郭（Ｐ１）は、全体として円形であり、前記支持面の任意の半径（Ｒ）に沿って測ったその半径方向寸法（Ｄ１）は、その平面に垂直なその軸方向寸法（Ｄ２）に少なくとも等しく、及び
前記光学レンズ支持体が、ターンテーブルの上に前記支持面（１６）単独で固着され、前記ターンテーブルが前記支持面（１６）の吸引によって前記ベース（１３）を保持する複数の吸引オリフィスを備えている
ことを特徴とする方法。
【請求項２】
３つの支持スタッドの少なくとも１つは、ベース（１３）に対して固定され、少なくとも１つの他のスタッド（１４Ｂ）は、ベース（１３）によって支持された弾性変形可能な部材によって支持されていることを特徴とする請求項１記載の方法。
【請求項３】
２つの支持スタッド（１４Ａ）は、固定されており、第３のスタッド（１４Ｂ）だけが、弾性変形可能な部材によって支持されていることを特徴とする請求項２記載の方法。
【請求項４】
弾性変形可能な部材（１５）は、弾性アームであり、その根元部は、固定された支持スタッド（１４Ａ）のうちの１つの中に固定されていることを特徴とする請求項３記載の方法。
【請求項５】
２つの支持スタッド（１４Ｂ）はそれぞれ、それぞれの弾性変形可能な部材（１５）によって支持されており、第３のスタッド（１４Ａ）だけが固定されていることを特徴とする請求項２記載の方法。
【請求項６】
弾性変形可能な部材（１５）によって支持されたスタッド（１４Ａ）は、これと一体であることを特徴とする請求項２〜５のうち何れか一に記載の方法。
【請求項７】
弾性変形可能な部材（１５）は、アームであり、このアームは、その根元部とこのアームが支持している支持スタッド（１４Ｂ）との間でそれ自体が曲がっていることを特徴とする請求項２〜６のうち何れか一に記載の方法。
【請求項８】
弾性変形可能な部材（１５）は、板ばねによって形成された弾性アームであり、板ばねの幅方向は、ベース（１３）の支持面の平面に垂直であることを特徴とする請求項２〜７のうち何れか一に記載の方法。
【請求項９】
ベース（１３）は、中央開口部（２３）を有し、固定された支持スタッド（１４Ａ）は、中央開口部（２３）の縁のところに位置し、弾性変形可能な部材によって支持された支持スタッド（１４Ｂ）は、その輪郭の内側に位置していることを特徴とする請求項２〜８のうち何れか一に記載の支持体。
【請求項１０】
支持スタッド（１４Ａ，１４Ｂ）は、ベース（１３）の両側部から延びていることを特徴とする請求項９記載の方法。
【請求項１１】
支持スタッド（１４Ａ，１４Ｂ）のうち少なくとも１つは、少なくとも１つの局部切欠き（２１）を有していることを特徴とする請求項２〜１０のうち何れか一に記載の方法。
【請求項１２】
支持スタッド（１４Ａ，１４Ｂ）のうち少なくとも１つには、その高さ全体にわたって切欠きが設けられていることを特徴とする請求項２〜１０のうち何れか一に記載の方法。
【請求項１３】
支持スタッド（１４Ａ，１４Ｂ）は、レンズが取り付けられていない場合、ベースの支持面の周囲輪郭に対して偏心した円周（Ｐ２）に沿って使用され、円周（Ｐ２）の中心（Ｃ２）は、周囲輪郭（Ｐ１）の中心（Ｃ１）よりも固定された支持スタッドに近いことを特徴とする請求項２〜１２のうち何れか一に記載の方法。
【請求項１４】
３つの支持スタッド（５６；８４，８８）は、ベース（５１；７１，７２）に固定され、各支持スタッドは、半径方向支持面（５７，８５）及び軸方向支持面（６０，８９，８６）を有し、スタッドの軸方向支持面は、ベースの支持面に平行な特定の平面内においてレンズの周囲の着座部を提供していることを特徴とする請求項１記載の方法。
【請求項１５】
ベース（５１；７１，７２）は全体としてディスクの形態をしており、その一方の面（５４；７６，７７）は、それ自体の着座手段としての支持面を構成し、他方の面からは支持スタッドが突出していることを特徴とする請求項１４記載の方法。
【請求項１６】
ベース（５１）は、中実ディスクの形態をしており、スタッドの軸方向支持面によって提供される着座面は、ベースの他方の面から僅かな距離を置いたところに位置していることを特徴とする請求項１５記載の方法。
【請求項１７】
ベース（７１）は全体として、レンズ（１０）と実質的に同一形状及び同一寸法の内縁部（８０）によって構成された中央開口部を備えるディスクの形態をしており、支持スタッド（８４）は各々、２つの部分で構成され、その第１の部分（８５）は、ベースの他方の面から突出していて、関連のスタッドの半径方向支持面を構成し、第２の部分（８２）は、ベースの内縁部から半径方向に突出していることを特徴とする請求項１５記載の方法。
【請求項１８】
各スタッドの第２の部分（８２）は、ベース（７１）と一体であることを特徴とする請求項１７記載の方法。
【請求項１９】
スタッド（６０）の軸方向支持面は、傾斜した状態で内側に向かって且つベース（５１）に向かって細まっていることを特徴とする請求項１４〜１８のうち何れか一に記載の方法。
【請求項２０】
第１の前記ベースと類似していて、レンズ（１０）を保持するための少なくとも３つの支持スタッド（８８）を有すると共にそれ自体の着座手段としての平らな支持面（７７）を有する第２のベース（７２）を有し、平らな支持面の周囲輪郭は、全体として円形であり、支持面の任意の半径に沿って測ったその半径方向寸法は、その平面に垂直なその軸方向寸法に少なくとも等しく、第２のベース（７２）のスタッド（８８）は、それ自体の着座手段としての第２のベースの支持面（７７）に垂直な平面内においてレンズの着座手段を提供する軸方向支持面（８９）を有し、２つのベース（７１，７２）は、これらを互いに重ね合わせ配列関係で互いに組み立てる手段（８５，８８）を備え、各ベースの支持面（７６，７７）は、他方のベースから遠ざかる方向に向いていて、２つのベースのスタッドの軸方向支持面によって提供される２つの着座手段は、レンズ（１０）の周囲をサンドイッチするようになっていることを特徴とする請求項１４〜１９のうち何れか一に記載の方法。
【請求項２１】
２つのベースのスタッドの軸方向支持面（８６，８９）によって提供される２つの着座平面は、レンズ（１０）の厚さよりも僅かに大きな距離だけ分離され、レンズは、２つのベースと関連した２つの着座平面相互間に或る程度の軸方向隙間を有するようになっていることを特徴とする請求項２０記載の方法。
【請求項２２】
２つのベースを互いに組み立てる手段は、支持スタッド（８５，８８）を利用していることを特徴とする請求項２０又は２１記載の方法。
【請求項２３】
第１のベースの支持スタッド（８４）は各々、ベース（７１）の支持面（７６）から遠ざかって軸方向に延びると共に関連のスタッドの半径方向支持面を支持した突出部（８５）を有し、第２のベースのスタッドは各々、関連のスタッドの軸方向支持面（８９）を支持していて、第１のベース（７１）の対応のスタッド（８４）の突出部（８５）を受け入れる軸方向ハウジングを備えた支柱（８８）から成ることを特徴とする請求項２２記載の方法。
【請求項２４】
２つのベース（７１，７２）相互間の距離、したがって、これらのスタッドの軸方向支持面によって提供される着座平面相互間の距離は、第１のベースのスタッド（８４）の突出部（８５）の自由端部を、第２のベース（７２）のスタッドの支柱（８８）のハウジング（９０）の端壁に当接させることによって定められることを特徴とする請求項２２又は２３記載の方法。
【請求項２５】
第２のベース（７２）のスタッドの支柱（８８）のハウジング（９０）は、端部が開口しており、各支柱のハウジングの端壁は、前記支柱が突出している第２のベース（７２）それ自体の表面（７９）から成ることを特徴とする請求項２４記載の方法。
【請求項２６】
第２のベース（７２）のスタッドの軸方向支持面（８９）は、傾斜していることを特徴とする請求項２０〜２５のうち何れか一に記載の方法。
【請求項２７】
２つのベース（７１，７２）は各々全体として、レンズ（１０）と実質的に同一形状及び同一寸法の内縁部（８０，８１）によって構成された中央開口部を備えるディスクの形態をしていることを特徴とする請求項２０〜２６のうち何れか一に記載の方法。
【発明の詳細な説明】
【０００１】
（技術分野）
本発明は、スピンコート法を用いる方法、すなわちスピンコート法を実施するための方法に関する。
【０００２】
（背景技術）
眼科レンズの製作後、かかる眼科レンズを処理して特定の特性、例えば耐摩耗性及び（又は）反射防止特性をこれら眼科レンズに与えることが標準的なやり方である。これは当該技術分野で知られている。
本発明との関連では、そして通例、「眼科レンズ」という表現は、眼鏡フレーム内に取り付けられる眼鏡レンズを次にトリミングによって得る場合の素材に関している。
【０００３】
ブランクは通例、円形の周囲輪郭を有しているが、これは必ずしもそうではない。
したがって、以下の説明は、任意の輪郭に当て嵌まるものと考えられるべきである。
それはともかく、処理を眼科レンズに施すことは通常は、少なくとも１つの材料層をその表面上に被着させることを必要とし、付着層が非常に一様であることが重要であることは明らかである。
通常、反射防止付着層を真空中で被着させる。
【０００４】
これは、例えば米国特許第２，５３２，９７１号の場合であり、かかる米国特許では、処理されるべき眼科レンズをそれぞれこれらの処理中にこれらを保持する個々の支持体内に配置される。
処理にあたって実際には、眼科レンズをレンズとその支持体の組合せが取り付けられる集合支持体の回転軸線の周りに５０ｒｐｍ台の比較的ほどほどの速度で回転させる必要がある。
【０００５】
各眼科レンズの個々の支持体は、ベース及びベースによって支持されていて、眼科レンズのエッジを保持する３つの支持スタッドを有しており、これらスタッドの１つは、ベースに対して固定されているが、ベースに対するその位置は調節可能であり、スタッドの他の２つはベースによって支持された弾性変形可能なアームによってそれぞれ別々に支持されている。
【０００６】
実際には、ベースは、全体として円形の輪郭をしたリングの一般的な形態をしており、このリングの半径方向寸法、即ちその厚さの方向における寸法、したがってそのエッジの平面内における寸法は、その高さ、即ちその平面に垂直なその寸法よりも非常に小さい。
実際には、個々の支持体は全体としてリングの形態をしていて、それ自体がリング中に固定されなければならず、この支持体は、そのベースのエッジを介して使用されるわけではない。
【０００７】
より最近の具体的構成例は、例えば米国特許第５，３２５，８１２号に記載されたものと実質的に同一であり、かかる米国特許では、上記の種類の個々の眼科レンズ支持体は実際には、剛性支持体リング内に固定されるようになった単純な弾性変形可能リングになっている。
【０００８】
他形式の基板、即ちマイクロエレクトロニクスの分野で使用されるシリコンウェーハに関して材料層を被着させるための別の技術、通常はスピンコート法と呼ばれる方法が開発され、それにより、基板を回転させながら少量の材料をその表面上に被着させるようになっている。
【０００９】
材料が拡がっている間の基板の回転速度は、比較的高く、具体的は材料の被着中におけるその回転速度よりも高く、実際には、常時１５００ｒｐｍ以上である。その目的は、材料を基板の表面の全体上に拡げることにある。
用いられる回転速度が高いので、処理されるべき基板の個々の支持体をこれと関連した装置の内部に正しく着座させることが重要であることは明らかである。
スピンコート法により処理を眼科レンズに施すためには、上述したように眼科レンズを保持するために現在通常用いられている種類の全体としてリングの形態をした支持体は、その着座の具合が芳しくないので適当でないことは明らかである。
【００１０】
ドイツ国特許出願第３８３８０１２号は、スピンコート法により処理を眼科レンズに施すための支持体を記載しており、かかる支持体は３つのクランプ部材を含み、これらクランプ部材は各々、眼科レンズを受け入れる支持フィンガと、レンズをクランプするクランプフィンガとから成り、回転速度に応じてレンズに加えられる圧力を変化させるためのフライウェイトシステム（flyweight system）が設けられている。
その総合的結果として、特に複雑な構成例が得られることとなる。
【００１１】
（発明の概要）
本発明の一般的な目的は、スピンコート法による被着技術を用いる装置内であっても、光学レンズを正しく保持する簡単な方法を提供する光学レンズ支持体を提供することにある。
少なくとも１つの第１のベース及びこれによって支持されていて、光学レンズのエッジを保持する少なくとも３つの支持スタッドを有する形式の光学レンズ支持体は、ベースが、それ自体の着座手段としての平らな支持面を有し、支持面の周囲輪郭が、全体として円形であり、支持面の任意の半径に沿って測ったその半径方向寸法が、その平面に垂直なその軸方向寸法に少なくとも等しいことを特徴とする。
【００１２】
このようにすると、スピンコート法を用いる装置の支持体の使用を可能にするのに十分な着座面が得られる。特に、支持体の単一の着座面を、空気圧吸引装置を形成するスピンコート装置のターンテーブル、即ち、支持体の支持面に吸引力を及ぼすことによりベースをターンテーブルに当接保持させる複数の吸引オリフィスを備えたターンテーブルに固定できる。
【００１３】
本発明の光学レンズ支持体により、既存の装置をそれほど改造しなくてもこれを使用できるので有利であり、従って、光学レンズの技術分野において既に別の技術分野で用いられている技術の利点が得られるようになる。
一般的に言えば、本発明の光学レンズ支持体を用いると、相当高い回転速度を利用できるので有利である。
この観点から見た本発明の別の目的は、支持体及びこれによって支持された光学レンズを５００ｒｐｍよりも高い回転速度で回転させる段階を含むことを特徴とする支持体の使用方法を提供することにある。
【００１４】
第１の実施形態では、３つの支持スタッドの少なくとも１つは、ベースに対して固定され、少なくとも１つの他のスタッドは、ベースによって支持された弾性変形可能な部材によって支持されている。
少なくとも或る幾つかの用途の場合、本発明の光学レンズ支持体の支持スタッドのうち２つは、好ましくは固定され、スタッドのうち第３のものだけが、弾性変形可能な部材によって支持されている。
【００１５】
したがって、光学レンズの受ける温度が１００℃という高い温度の場合があり、しかも非常に薄い場合のある光学レンズのエッジに弾性力が加わると仮定して、少なくとも幾つかの処方の場合にたとえ光学レンズを危険にも脆く作ることができ、従って光学レンズを保護することが望ましくても、光学レンズの受ける弾性力を良好に制御できるので有利である。
【００１６】
本発明の光学レンズ支持体の支持スタッドは好ましくは、ベースの支持面の周囲輪郭に対して偏心した円周に沿って使用され、この円周の中心は、周囲輪郭の中心よりも固定された支持スタッドに近い。
このように光学レンズをその支持体内に軸外れ状態に支持すると良好な結果が得られた。
【００１７】
本発明の光学レンズ支持体のベースは好ましくは、中央開口部を有し、固定された支持スタッドは、中央開口部の縁のところに位置し、弾性変形可能な部材によって支持された支持スタッドは好ましくは、その輪郭の内側に位置している。
したがって、光学レンズとその支持体をひっくり返すだけで光学レンズの両面を連続的に処理することができるので有利である。
さらに、２つの固定された支持スタッドをこのように用いると、使用中における望ましくない振動が減少するので有利であり、これによりこれに対応した回転中における組合せ体の安定性が向上するという利点が得られる。
最後に、本発明の光学レンズ支持体のベースの厚さが比較的薄いことも又、これにより、支持体をそれぞれ挿入できる一定間隔を置いて設けられた溝を有する貯蔵ラック内に支持体をその縁を立てて貯蔵できるので有利である。
【００１８】
第２の実施形態では、３つの支持スタッドは、ベースに固定され、各支持スタッドは、半径方向支持面及び軸方向支持面を有し、スタッドの軸方向支持面は、ベースの支持面に平行な特定の平面内においてレンズの周囲の着座部を提供している。レンズは、この場合、特に高回転速度の場合に一層剛性的に且つ高信頼度で保持される。
ベースは中実ディスクの形態をしているので、スタッドの軸方向支持面により提供される着座面は、ベースの他方の面から僅かな距離を置いたところに位置している。
【００１９】
ベースが全体として、レンズと実質的に同一形状及び同一寸法の内縁部によって構成された中央開口部を備えるディスクの形態をしていて、支持スタッドが各々、２つの部分で構成されている場合、その第１の部分が、ベースの他方の面から突出していて、関連のスタッドの半径方向支持面を構成し、第２の部分が、ベースの内縁部から半径方向に突出するようにする。かくして、ベースは全体として、レンズと実質的に同一形状及び同一寸法の内縁部によって構成された中央開口部を備えるディスクの形態をしており、支持スタッドは各々、２つの部分で構成され、その第１の部分は、ベースの他方の面から突出していて、関連のスタッドの半径方向支持面を構成し、第２の部分は、ベースの内縁部から半径方向に突出しているのが有利である。
【００２０】
各スタッドの第２の部分は有利には、ベースと一体である。したがって、傾斜した軸方向支持面は、レンズに疑似円錐形着座部を提供し、これによりレンズとこれら軸方向支持面との接触が線接触状態に、その周縁部では点接触状態に減少する。これにより、その下面はその表面処理を損傷させる場合のある接触状態から保護される。
【００２１】
本発明の改良点をなす有利な特徴によれば、依然として３つの支持スタッドが固定状態の場合において、支持体は、第１の前記ベースと類似していて、レンズを保持するための少なくとも３つの支持スタッドを有すると共にそれ自体の着座手段としての平らな支持面を有する第２のベースを有し、平らな支持面の周囲輪郭は、全体として円形であり、支持面の任意の半径に沿って測ったその半径方向寸法は、その平面に垂直なその軸方向寸法に少なくとも等しく、第２のベースのスタッドは、それ自体の着座手段としての第２のベースの支持面に垂直な平面内においてレンズの着座手段を提供する軸方向支持面を有し、２つのベースは、これらを互いに重ね合わせ配列関係で互いに組み立てる手段を備え、各ベースの支持面は、他方のベースから遠ざかる方向に向いていて、２つのベースのスタッドの軸方向支持面によって提供される２つの着座手段は、レンズの周囲をサンドイッチするようになっている。
【００２２】
したがって、レンズは、２つのベース相互間でサンドイッチされ、各ベースのスタッドの軸方向支持面は、レンズにこれらの支持面に平行な平面内において着座部を提供する。したがって、支持体全体をその２つのベース及びこれらの間に配置されたレンズと共にひっくり返してレンズの２つの面を連続して処理できるうようにする。レンズの第１の面を処理するため、支持体をその支持面が装置のターンテーブルの上に載り、且つレンズが第１のベースのスタッドの軸方向支持面上に載った状態で第１のベースが第２のベースの下に位置するよう配置する。レンズのこの第１の面を処理した後、支持組立体をひっくり返してその第２のベースが第１のベースの下に位置すると共にその支持面が装置のターンテーブル上に載るようにする。すると、レンズは、第２のベースのスタッドの軸方向支持面上に載り、その第２の面を処理できる。
【００２３】
２つのベースのスタッドの軸方向支持面によって提供される２つの着座平面は、レンズの厚さよりも僅かに大きな距離だけ分離され、レンズは、２つのベースと関連した２つの着座平面相互間に或る程度の軸方向隙間を有するようになっている。この場合、支持体の位置とは無関係に、レンズの上面全体をその上に位置したベースのスタッドの軸方向支持面から離脱させ、処理されていないその下面だけが、スピンコート装置のターンテーブル上に載っているベースのスタッドの軸方向支持面と接触する。
２つのベースを互いに組み立てる手段は、支持スタッドを利用している。したがって、支持スタッドは、２つのベースの組立てに寄与する第２の機能をもっている。
【００２４】
この特徴を利用した有利な実施形態では、第１のベースの支持スタッドは各々、ベースの支持面から遠ざかって軸方向に延びると共に関連のスタッドの半径方向支持面を支持した突出部を有し、第２のベースのスタッドは各々、関連のスタッドの軸方向支持面を支持していて、第１のベースの対応のスタッドの突出部を受け入れる軸方向ハウジングを備えた支柱から成る。
軸方向隙間が２つのベースと関連した着座面相互間に必要な場合、２つのベース相互間の距離、したがって、これらのスタッドの軸方向支持面によって提供される着座平面相互間の距離は好ましくは、第１のベースのスタッドの突出部の自由端部を、第２のベースのスタッドの支柱のハウジングの後部に当接させることによって定められる。
【００２５】
別の有利な特徴によれば、第２のベースのスタッドの軸方向支持面は、傾斜している。第１のベースのスタッドについて上述したように、第２のベースのスタッドの軸方向支持面が傾斜しているということにより、レンズとこれら軸方向支持面との接触が線接触状態に、その周縁部では点接触状態に減少させる疑似円錐形着座部がレンズに与えられる。したがって、支持体をひっくり返す前に処理したばかりのその下面は、その表面処理を損傷させる場合のある接触状態から保護される。
【００２６】
好ましい実施形態では、２つのベースは各々、レンズと実質的に同一形状及び同一寸法の内縁部によって構成された中央開口部を備えるディスクの形態をしている。
本発明の内容、その特徴及び利点は、添付の図面を参照して例示として行われる以下の説明から明らかになろう。
【００２７】
（発明の実施の形態）
図面に示すように、全体的な目的は、光学レンズ１０を正しく保持することにある。
光学レンズ１０、より正確に言えば眼科レンズは、例えば凹凸レンズである。
しかしながら、本発明は例えば両凹レンズ又は両凸レンズにもそのまま当てはまる。
図１に特に示す実施形態では、これは例えば円形輪郭の光学レンズ１０である。
実際には、光学レンズ１０は、これが装着される眼鏡フレームのリム又は周囲部の輪郭とマッチした輪郭を備えた眼鏡レンズを所定の形状通りにトリミングすることによって機械加工する場合のブランクとなる。
【００２８】
光学レンズのエッジ１１は、処方に応じて比較的厚く又は比較的薄い。
この種の個々の光学レンズ１０を保持するのに用いられる支持体１２は正確には、ベース１３及びベースによって支持されていて、光学レンズ１０のエッジ１１を掴む少なくとも３つの支持スタッド１４Ａ，１４Ｂを有し、スタッドのうち少なくとも１つは、ベース１３に対して固定されており、残りのうち少なくとも１つは、ベース１３によって支持された弾性変形可能なアーム１５によって支持されている。
図示の実施形態では、３つの支持スタッド１４Ａ，１４Ｂしか設けられていない。
【００２９】
本発明によれば、ベース１３は、これを着座させる平らな支持面１６を有し、その周囲輪郭Ｐ１は、全体として円形であり、支持面１６の任意の半径Ｒに沿って測ったその半径方向寸法Ｄ１は少なくとも、その平面に垂直な方向におけるその軸方向寸法Ｄに等しい。
実際には、ベース１３の半径方向寸法Ｄ１は、その軸方向寸法Ｄ２の倍数であり、例えば最大、軸方向寸法Ｄ２の１０倍である。
例えば、変形方向寸法Ｄ１は、５０〜６０mmであり、軸方向寸法Ｄ２は、１〜５mmである。
しかしながら、上記の装置は一例であるに過ぎず、本発明を何ら限定するものではないことは当然である。
【００３０】
図１〜図４に特に示す実施形態では、ベース１３は平らであって中実のディスクであり、その底面は支持面１６を形成している。
ベース１３は、中心Ｃ１を有している。
実際には、これは、その支持面１６の周囲輪郭Ｐ１の中心であって、支持体１２の回転中心に一致している。
図１〜図４に特に示す実施形態では、支持スタッドのうち２つ１４Ａ，１４Ｂは、固定され、第３のスタッドだけが、弾性変形可能なアーム１５によって支持されている。
【００３１】
支持スタッド１４Ａは固定されており、支持スタッド１４Ｂは、弾性変形可能なアーム１５によって支持されている。
例えば、図示のように、固定された支持スタッド１４Ａは、円筒形のボスであり、その横断面は円形であり、その母線はベース１３に垂直である。
図示の実施形態では、２つの固定された支持スタッド１４Ａは、互いに同一であって、直円柱の一部であり、これら支持スタッドは各々、任意適当な固定手段１８、例えばねじ（図１３参照）によってベース１３に取り付けられている。
【００３２】
図１〜図４に特に示す実施形態では、第３の支持スタッド１４Ｂを支持した弾性変形可能なアーム１５は、固定された支持スタッド１４Ａのうち１つに嵌め込まれたその根元部を有している。
例えば、図示のように、弾性変形可能なアーム１５は、幅方向がベース１３の支持面１６の平面に垂直な板ばねによって形成されている。
実際には、弾性変形可能なアーム１５の根元部は、固定支持スタッド１４Ａに設けられた切れ目２０によってアームを支持した固定支持スタッド１４Ａ内に嵌め込まれており、中心のところで４５°よりも大きな角度、例えば約９０°の角度を張った扇形全体にわたり全体として円弧の形態をなす輪郭に沿って支持スタッド１４Ａから自由且つ片持ち状態で延びている。
【００３３】
図示の実施形態では、このように弾性変形可能なアーム１５によって支持された支持スタッド１４Ｂは、アーム１５と一体であり、弾性変形可能なアーム１５を備えた単一の構成部品を形成している。
実際には、支持スタッド１４Ｂは、ベース１３の中心Ｃ１に差し向けられた状態の弾性変形可能なアーム１５の自由端部のところに設けられた直角の戻り部によって単に形成されている。
その結果得られる支持スタッド１４Ａ，１４Ｂのうち少なくとも一方は好ましくは、光学レンズ１０の保持具合を向上させる少なくとも１つの局所切欠き２１を有している。
図１〜図４に特に示す実施形態では、これは、弾性変形可能なアーム１５によって支持された支持突出部１４Ｂの場合についてだけであり、実際には、この弾性変形可能なアーム１５は、その高さに沿って互い違いに設けられ、各々がＶ字形の輪郭を有する数個の切欠き２１を有している。
【００３４】
図示の実施形態では、固定支持スタッド１４Ａは滑らかである。
休止時、即ち、光学レンズ１０が設けられていない場合、支持スタッド１４Ａ，１４Ｂは好ましくは、ベース１３の支持面１６の周囲輪郭Ｐ１に対して偏心している円周部Ｐ２に沿って設けられ、円周部Ｐ２の中心Ｃ２は、周囲輪郭Ｐ１の中心Ｃ１よりも固定支持スタッド１４Ａに近い。
例えば、支持スタッド１４Ａ，１４Ｂがベース１３の支持面１６の周囲輪郭Ｐ１の中心Ｃ１に対して休止時に位置する円周部Ｐ２の中心Ｃ２の結果的に生じる偏心距離は、１〜５mmであり、好ましくは１〜２mm台である。
【００３５】
しかしながら、上述したようにこれらの数値は例示として記載しているに過ぎず、本発明を何ら限定するものではない。
ベース１３は例えば金属で作られ、弾性変形可能なアーム１５も同様である。
ベース１３を例えばアルミニウムで作るのがよい。
しかしながら、動作温度が許す限りベース１３を合成材料で作ってもよい。
固定支持スタッド１４Ａもまた、動作温度が許す限り合成材料で作ってもよい。
【００３６】
それはともかく、使用にあたり、図４に示すように、保持されるべき光学レンズ１０のエッジ１１は、固定支持スタッド１４Ａと弾性変形可能なアーム１５によって支持された支持スタッド１４Ｂとの間に単に差し込まれるだけであり、それにより、光学レンズは、固定支持スタッド１４Ａの各々の母線に沿って固定支持スタッド１４Ａに対し積極的に当接した状態で位置するようになる。
例えば、この目的のために弾性変形可能なアーム１５によって及ぼされる半径方向の力は、１〜１０Ｎであり、好ましくは２Ｎ台である。
【００３７】
図５〜図８に示す実施形態では、ベース１３は、大きな中心の孔２３を有し、したがって、全体として座金の形態をしている。
支持面１６は、その頂面又は底面によって構成されている。
１又は複数の固定支持スタッド１４Ａは、中央開口部２３の縁上に位置し、弾性変形可能なアーム１５によって支持された１又は複数の支持スタッド１４Ｂは、その輪郭の内側に位置している。
例えば、図示のように、上述のように２つの固定支持スタッド１４Ａ及び弾性変形可能なアーム１５によって支持された１つの支持スタッド１４Ｂが設けられている。
【００３８】
図６に特に示す実施形態では、固定支持スタッド１４Ａは全体がベース１３の同一側に位置し、弾性変形可能なアーム１５によって支持された支持スタッド１４Ｂも同様である。
図示の実施形態では、固定支持スタッド１４Ａはそれぞれ個々にフランジ２４に締結され、このフランジ２４によってこれら支持スタッドはベース１３に取り付けられている。
上述したように、固定支持スタッド１４Ａは、滑らかな直円柱の部分を形成している。
図示の実施形態では、弾性変形可能なアーム１５はそれ自体曲げられており、実際には、その根元部と根元部が支持する支持スタッド１４Ｂとの間に設けられたＶ字形エルボを備えている。
これは上述したように板ばねである。
【００３９】
図示の実施形態では、弾性変形可能なアーム１５の根元部は、フランジ２５に締結され、このフランジ１５によって、弾性変形可能なアーム１５の根元部は、ベース１３に取り付けられており、固定支持スタッド１４Ａも同様である。
所望ならば、そして図５に破線で示すように、フランジ２５は延長部２６を有するのがよく、この延長部２６は、必要ならばアームを補剛するよう弾性変形可能なアーム１５と同一側でベース１３に沿って円周方向に延びている。
最後に、上述したように、眼科レンズ１５によって支持された支持スタッド１４Ｂは、このアームと一体であり、その自由端部のところに設けられた直角の戻り部によって形成されている。
【００４０】
図７及び図８に示す実施形態では、固定支持スタッド１４Ａは、ベース１３に設けられた中央開口部２３に単に接触した状態でその内縁部に締結された状態でベース１３の各側に位置している。
例えば、図７では、上述したように、固定支持スタッド１４Ａは、滑らかな又は１又は２以上の局所切欠きを備えた直円柱の部分である。
【００４１】
変形例として、図８に示すように、固定支持スタッド１４Ａのうち少なくとも一方は、その高さ全体にわたって切欠きが設けられ、必要ならば関連した支持スタッド１４Ｂも同様である。
当然のことながら、支持スタッド１４Ｂもまた好ましくは、ベース１３の各側まで延びている。
それはともかく、本発明によれば、ベース１３がこれと同様に全体として座金の形態をしている場合、その半径方向寸法Ｄ１は、その軸方向寸法Ｄ２に少なくとも等しいままであり、実際には、その倍数である。
【００４２】
図９は、図５〜図８の実施形態と類似した実施形態を示している。したがって、ベース１３は、上述したように大きな中央開口部２３を有し、全体として座金の形態をしている。支持面１６は、その底面によって形成されている。固定支持スタッド１４Ａは、中央開口部２３の縁のところに位置している。
可動支持スタッド１４Ｂは、弾性変形可能な部材１５によって支持されている。しかしながら、この点に関し、図５〜図８に示す実施形態とは異なり、部材１５はここでは、単純な真っ直ぐの又は僅かに湾曲した板ばねの形態をしており、その各端部は、中央開口部２３の縁と協働し、そしてこの各端部は、可動支持スタッド１４Ｂをその中心のところで支持している。
【００４３】
より正確にいえば、図示の例では、板ばね１５は、２つの端部２７，２８を有し、これら２つの端部は、これらをベース１３に取り付けられた２つの対応関係にあるブロック２９，３０に埋め込むことによりベース１３に締結されている。より正確に言えば、板ばね１５の端部２８は厳密に言えばブロック３０に埋め込まれていないが、板ばね１５の長手方向における或る程度の運動の自由度を有している。したがって、板ばね１５は、レンズを可動支持スタッド１４Ｂと２つの固定支持スタッド１４Ａとの間にしっかりと保持するのに適した程度の高い剛性で撓むことができる。
可動支持スタッド１４Ｂは、直円柱の一部の形態をしており、滑らかであるか、或いは凹凸を備えている。
【００４４】
図１０に示す実施形態では、図１〜図３に示す実施形態の場合と同様に、ベース１３は中実のディスクである。
しかしながら、この実施形態では、ベース１３は段付きであり、その中央領域の厚い部分１３′が、支持スタッド１４Ａ，１４Ｂを支持している。
しかしながら、本発明によれば、ベース１３の半径方向寸法Ｄ１は、少なくともその軸方向寸法Ｄ２に等しいままである。
【００４５】
その他の特徴は、図１〜図４を参照して説明した特徴と実質的に同一である。
しかしながら、図示の実施形態では、弾性変形可能なアーム１５が延びる扇形の中心のところで張られた角度は、９０°よりも非常に小さく、例えば４５°台である。
さらに、図示の実施形態では、固定支持スタッド１４Ａは、滑らかな円筒形ベースを有し、その直径は、これらの上部の直径よりも大きく、かかる円筒形ベースは、細溝又は切欠きを備えている。
【００４６】
図１１及び図１２に示す実施形態では、２つの支持スタッド１４Ａ，１４Ｂはそれぞれ、それぞれの弾性変形可能なアーム１５によって支持されており、第３の支持スタッドだけが固定されている。
換言すると、この実施形態では、単一の固定支持スタッド１４Ａ及び弾性変形可能なアーム１５によって支持された２つの支持スタッド１４Ｂが設けられている。
その他の特徴は、図１〜図４を参照して説明した特徴と実質的に同一である。
しかしながら、対応関係にある支持体１２が、輪郭が円形ではない光学レンズ１０を保持するように改造されている点において構成上の差異がある。
【００４７】
図１３は、スタッドがベースに固定されている本発明の別の実施形態を示している。
より正確に説明すると、この実施形態では、支持体５０は、中心軸線５２及びこの軸線と同軸の円形輪郭５３を備えた中実ディスクの形態をしたベース５１を有している。ベースディスク５１は、第１の面５４を有し、この第１の面は実際にはその底面であり、スピンコート装置のターンテーブル上にこれを着座させるための支持面を構成している。上述のように、そして任意のディスクの固有の性質から推測されるように、ベースディスク５１は、その厚さよりも非常に大きな半径を有している。したがって、ベースディスク５１は、例えばスピンコート装置のターンテーブル上に設けられた空気圧吸引装置のシステムにより、これを安定的に固定できるほど十分に広い支持面５４を備えている。
【００４８】
ベースディスク５１は、その第１の面５４と反対側の側部に第２の面５５を有し、この第２の面は実際には、その頂面である。
ベースディスク５１は、レンズ１０を保持するための着座部を形成するよう中心軸線５２の周りに一定間隔を置いて設けられた状態でその頂面５５から突出した３つの同一の支持スタッド５６を有している。
より正確に説明すると、３つのスタッド５６は各々、底端部がベースディスク５１に差し込まれていて、軸線５２に平行に、即ち垂直に延びる円筒形ロッドの形態をした突出部５７と、ベースディスク５１の頂面５５に底部が固定されていて、傾斜した頂面６０、即ち、ベースディスク５１の表面５４，５５、即ち水平に対して斜めの平面内に位置した頂面を有するブロック５９とから成る。この場合、ブロック５９の頂面６０は、水平に対し約５０°の角度で傾斜している。ブロック５９の頂面６０は、中心軸線５２に向かうと共にベースディスク５１に向かって、即ち下方に細くなっていて、レンズ１０に疑似円錐形着座部を提供している。
【００４９】
したがって、各スタッド５６は、突出部５７の横方向表面から成るレンズ１０のための半径方向支持面及びブロック５９の頂面６０からなる軸方向支持面を有している。
ブロック５９の軸方向支持面６０が傾斜しているので、レンズとスタッド５６との接触は、レンズの縁のところで線又は点状態となり、これにより、レンズ１０の底面全体の健全性が保護される。この構成により、レンズの着座状態の安定性もまた向上する。
ブロック５９の軸方向支持面６０は、レンズ１０に、ベースディスク５１の頂面５５に平行であって、且つこれよりも僅かに上に位置した平面内で着座部を提供する。したがって、レンズ１０の底面は、ベースディスク５１の頂面５５から距離を置いたところに保持される。
【００５０】
図１４〜図１６は、レンズをサンドイッチする固定スタッドを備えた２つのベースを有する別の実施形態を示している。
より正確に説明すると、支持体７０は、第１の全体としてディスク上のベース７１及び第２の全体としてディスク上のベース７２を有している。
この場合、２つのベース７１，７２は互いに同一であり、共通の垂直方向中心軸線７３を有している。
ベース７１，７２は、軸線７３を中心とする円形の輪郭７４，７５、第１の面７６，７７及びこれら第１の面と反対側の第２の面７８，７９を有している。
【００５１】
ベースディスク７１，７２はまた、内縁部８０，８１によって構成された中央開口部を有し、これら内縁部は、実質的に円形であって軸線７３を中心としており、レンズ１０と実質的に同一の寸法形状のものである。
ベースディスク７１，７２の内縁部８０，８１は厳密な意味では円形ではないが、これらは、丸い半径方向突起８２，８３を有し、この場合、これらのうち３つが中心軸線７３を周りに規則的に分布して配置されている。
ベースディスク７１，７２は、ベース７１，７２の内縁部の半径方向突起８２，８３の高さ位置で第２のフェース７８，７９から突出した状態でレンズ１０を保持する３つの固定支持スタッドを有している。しかしながら、第１のベースディスクのスタッドは、第２のベースディスク７２のものとは異なっている。
【００５２】
第１のベースディスク７１のスタッド８４は各々、一端がベースディスク７１に差し込まれていて中心軸線７３に対して平行に、即ち垂直に延びる円筒形ロッドからなる突出部８５と、ベースディスク７１の対応の突起８２とを有している。したがって、各支持スタッド８４の突出部８５は、レンズ１０のエッジ１１の半径方向支持面を構成する円筒形周面を有している。各スタッド８４の突出部８５の周面は、関連のスタッド８４の半径方向支持面を構成し、軸線７３と同心であってベースディスク７１の内縁部８０を含む想像上の円柱と面一をなしている。したがって、レンズ１０は、事実上半径方向の隙間を生じないでスタッド８４の突出部８５相互間に収容される。第１のベースディスク７１の半径方向突起８２は、ベースディスクの第２の面７８と連続した軸方向支持面８６を有している。したがって、３つの突起８２の軸方向支持面８６は、レンズ１０に、第１のベースディスク７１の第２のフェース７８の水平方向平面と同一の水平方向平面内に着座部を提供している。したがって、ベースディスク７１の突起８２が、レンズ１０を保持するためのスタッド８４の一体部分であることは明らかである。
【００５３】
第２のベースディスク７２の支持スタッドは、底部が半径方向突起８３と一線をなして第２のベースディスク７２の第２のフェース７９に固定された支柱８８から成る。
支柱８８は各々、頂部に、即ち、ベースディスク７２に固定されたその底部と反対側の端部に、軸方向支持面８９を有し、この軸方向支持面８９は、この場合、傾斜しており、即ち、第２のベースディスク７６の面７７，７９に対し、即ち水平に対して斜めの平面内に延びている。この場合、傾斜軸方向支持面８９は、水平に対し約５０°の角度ａをなしている。３つの支柱８８の傾斜軸方向支持面８９は、中心軸線７３に向かうと共に第２のベースディスク７２に向かって細まっていて、レンズ１０に、以下に説明するようにその周縁部だけが載っかる疑似円錐形着座部を提供している。
【００５４】
各支柱８８は、第１のベースディスク７１の対応のスタッド８４の突出部８５を僅かな隙間を持って受け入れるようになった軸方向ハウジングを更に有している。したがって、第１のベースディスク７１の突出部８５と第２のベースディスク７２の支柱８８は、２つのベースディスク７１，７２を正確な相対的位置で互いに組み立てる互いに一致嵌合する手段を構成している。
図１４に示すように、支柱８８のハウジング９０は、支柱の両端部のところ、特にその底部のところで開口しており、ここでハウジングは第２のベースディスク７２の第２の面７９で開口している。したがって、第２の面７９は、支柱８８のハウジング９０の端壁を構成している。
【００５５】
使用にあたり、今説明した２重ベース支持体を以下のように組み立てる。
第１のベースディスク７１を、図１４に示す形態に、即ち、その中心軸線７３を垂直に、その支持面７６を下向きにした状態で配置する。
レンズ１０を、突出部８５相互間に差し込んで、レンズが半径方向突起８２の軸方向支持面８６に載るようにする。この状態で、まだ処理が行われておらず、まだ何ら処理が施されていないレンズ１０の底面を局所的に突起８２に接触させる。しかしながら、この接触は問題を生じさせるものではない。というのは、一方においてこの接触は、非常に僅かな表面領域にわたって延び、他方において、レンズ１０の底面には何ら表面処理が施されていないからである。
【００５６】
次に、第２のベースディスク７２を、これが図１４に示すように第１のディスク７１の上に位置するように位置決めする。この目的のため、第２のディスク７２を、その支持面７７を上に向けると共に２つのベースディスク７１，７２の面７８，７９を互いに向かい合わせた状態で第１のディスク７１と同軸状に、即ち共通の中心軸線７３に沿って水平に配置する。第２のディスク７２を角度的に整列させて支柱８８のハウジング９０が第１のベースディスク７１のスタッド８４の突出部８５の軸線と実質的に整列するようにする。次に、支柱８８を突出部８５上に螺着させるのがよい。突出部８５の自由端部は、支柱８８の軸方向支持面がレンズ１０と接触しない状態で、支柱８８のハウジング９０の端壁に当接し、即ち第２のベースディスク７２の面７９に当接する。したがって、レンズ１０の頂面は、第２のベースディスク７２との接触から保護される。
【００５７】
支持組立体、即ち、２つの重ね合わされたベース及びこれらの間のレンズ１０を次に、第１のベースディスク７１の支持面７６がターンテーブル上に載った状態で、図１４及び図１５に示す形態でスピンコート装置のターンテーブル上に載せるのがよい。すると、上に向いたレンズ１０の第１の面を処理することができる。
第１の面の処理後、レンズを含む支持組立体をひっくり返して第２のベースディスク７２の支持面７７をスピンコート装置のターンテーブル上に置く。支持体をひっくり返すと、レンズ１０は、２つのベースと関連した軸方向支持面によって形成された着座平面相互間に或る程度の隙間が生じて僅かに落下し、第２のベースディスク７２の支柱８８の軸方向支持面８９上に載るようになる。この場合、今や上に向いているレンズの第２の面は、第１のベースディスク７１と接触しない。
【００５８】
今や下に向いていて、処理がちょうど終ったところのレンズ１０の他方の面は、傾斜した軸方向支持面８９上に、その周囲の線又は一点に沿って載るに過ぎない。したがって、レンズ１０のこの面は、図１６で理解できるように、第２のベースディスク７２とは接触しないようになる。したがって、レンズ１０の底面上に被着されたばかりの表面処理層の損傷の恐れがなくなる。
次に、上に向いているレンズ１０の第２の面を処理することができる。
【図面の簡単な説明】
【図１】  本発明の支持体が用いられるようになった光学レンズの斜視図である。
【図２】  可動スタッドを有する本発明の第１の実施形態としての支持体の斜視図である。
【図３】  図２のＩＩＩ−ＩＩＩに沿って見た支持体の拡大図である。
【図４】  光学レンズが支持体状に配置された状態を示す平面図である。
【図５】  図２の支持体と類似した本発明の第２の実施形態を示す斜視図である。
【図６】  図５のＶＩ−ＶＩ線に沿って見た第２の実施形態の図である。
【図７】  図６の支持体に類似した、本発明の第３の実施形態の部分断面図である。
【図８】  図６の支持体に類似した、本発明の第４の実施形態の部分断面図である。
【図９】  本発明の第５の実施形態の支持体の平面図である。
【図１０】  図２の支持体と似ていて、本発明の第６の実施形態の斜視図である。
【図１１】  図２の支持体と似ていて、本発明の第７の実施形態の斜視図である。
【図１２】  第７の実施形態を用いた状態を示す平面図である。
【図１３】  スタッドがすべてベースに固定されている本発明の第８の実施形態の光学レンズ用支持体の斜視図である。
【図１４】  レンズが固定スタッドを備えた２つのベース相互間に係合される本発明の第９の実施形態の光学レンズ用支持体の分解斜視図である。
【図１５】  図１４の支持体の軸方向平面に沿って見た半部の断面図である。
【図１６】  支持体をひっくり返した状態の図１５と類似した図であり、第２のベースが第１のベースの下に位置し、レンズが、第１のベースのスタッドの軸方向支持面からわずかに間隔を置いた状態で第２のベースのスタッドの軸方向支持面上に載っている状態を示す図である。
【図１】
0004402297.tif 000002
【図２】
0004402297.tif 000003
【図３】
0004402297.tif 000004
【図４】
0004402297.tif 000005
【図５】
0004402297.tif 000006
【図６】
0004402297.tif 000007
【図７】
0004402297.tif 000008
【図８】
0004402297.tif 000009
【図９】
0004402297.tif 000010
【図１０】
0004402297.tif 000011
【図１１】
0004402297.tif 000012
【図１２】
0004402297.tif 000013
【図１３】
0004402297.tif 000014
【図１４】
0004402297.tif 000015
【図１５】
0004402297.tif 000016
【図１６】
0004402297.tif 000017